【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
オペレーティングシステムによって提供される第１の印刷設定画面でオブジェクトの指示を受け付けることに応じて第２の印刷設定画面を表示するアプリケーションを有し、
前記オペレーティングシステムは出力先のプリンターに対応するプリンタードライバーを特定し、
前記アプリケーションは、前記第２の印刷設定画面から前記第１の印刷設定画面に戻る指示を受け付けて、かつ特定された前記プリンタードライバーが第１のプリンタードライバーである場合に、組み合わせられない印刷設定値を解消する禁則処理を行い、前記第２の印刷設定画面から前記第１の印刷設定画面に戻る指示を受け付けて、かつ特定された前記プリンタードライバーが第２のプリンタードライバーである場合に、前記禁則処理を行わないことを特徴とする情報処理装置。
【請求項２】
前記第１のプリンタードライバーは記憶領域に禁則ルールが記述されたファイルが存在するプリンタードライバーであり、前記第２のプリンタードライバーは前記記憶領域に前記禁則ルールが記述された前記ファイルが存在しないプリンタードライバーであることを特徴とする請求項１に記載の情報処理装置。
【請求項３】
前記アプリケーションは、特定された前記プリンタードライバーが前記第１のプリンタードライバーである場合に、前記第２の印刷設定画面で印刷設定が変更される度に前記禁則処理を行うことを特徴とする請求項１又は請求項２に記載の情報処理装置。
【請求項４】
前記オペレーティングシステムは前記出力先のプリンターの選択を受け付けることを特徴とする請求項１乃至３のいずれか１項に記載の情報処理装置。
【請求項５】
オペレーティングシステムによって提供される第１の印刷設定画面でオブジェクトの指示を受け付けることに応じて画面を表示するアプリケーションを有し、
前記オペレーティングシステムは出力先のプリンターに対応するプリンタードライバーを特定し、
前記アプリケーションは、特定された前記プリンタードライバーが第１のプリンタードライバーである場合に第２の印刷設定画面を前記画面として表示し、特定された前記プリンタードライバーが第２のプリンタードライバーである場合に前記第２の印刷設定画面とは異なる第３の印刷設定画面を前記画面として表示することを特徴とする情報処理装置。
【請求項６】
前記第２の印刷設定画面と前記第３の印刷設定画面は設定可能な印刷設定項目が異なることを特徴とする請求項５に記載の情報処理装置。
【請求項７】
前記第２の印刷設定画面と前記第３の印刷設定画面は画面レイアウトが異なることを特徴とする請求項５又は請求項６に記載の情報処理装置。
【請求項８】
前記第１のプリンタードライバーは記憶領域に禁則ルールが記述されたファイルが存在するプリンタードライバーであり、前記第２のプリンタードライバーは前記記憶領域に前記禁則ルールが記述された前記ファイルが存在しないプリンタードライバーであることを特徴とする請求項５乃至７のいずれか１項に記載の情報処理装置。
【請求項９】
前記アプリケーションは、特定された前記プリンタードライバーが前記第１のプリンタードライバーである場合に、前記第２の印刷設定画面で印刷設定が変更される度に前記禁則処理を行うことを特徴とする請求項５乃至８のいずれか１項に記載の情報処理装置。
【請求項１０】
前記オペレーティングシステムは前記出力先のプリンターの選択を受け付けることを特徴とする請求項５乃至９のいずれか１項に記載の情報処理装置。
【請求項１１】
コンピュータに、
オペレーティングシステムによって提供される第１の印刷設定画面でオブジェクトの指示を受け付けることに応じて第２の印刷設定画面を表示するアプリケーションを実行させ、
前記オペレーティングシステムは出力先のプリンターに対応するプリンタードライバーを特定し、
前記アプリケーションは、前記第２の印刷設定画面から前記第１の印刷設定画面に戻る指示を受け付けて、かつ特定された前記プリンタードライバーが第１のプリンタードライバーである場合に、組み合わせられない印刷設定値を解消する禁則処理を行い、前記第２の印刷設定画面から前記第１の印刷設定画面に戻る指示を受け付けて、かつ特定された前記プリンタードライバーが第２のプリンタードライバーである場合に、前記禁則処理を行わないことを特徴とするプログラム。
【請求項１２】
前記第１のプリンタードライバーは記憶領域に禁則ルールが記述されたファイルが存在するプリンタードライバーであり、前記第２のプリンタードライバーは前記記憶領域に前記禁則ルールが記述された前記ファイルが存在しないプリンタードライバーであることを特徴とする請求項１１に記載のプログラム。
【請求項１３】
前記アプリケーションは、特定された前記プリンタードライバーが前記第１のプリンタードライバーである場合に、前記第２の印刷設定画面で印刷設定が変更される度に前記禁則処理を行うことを特徴とする請求項１１又は請求項１２に記載のプログラム。
【請求項１４】
前記オペレーティングシステムは前記出力先のプリンターの選択を受け付けることを特徴とする請求項１１乃至１３のいずれか１項に記載のプログラム。
【請求項１５】
コンピュータに、
オペレーティングシステムによって提供される第１の印刷設定画面でオブジェクトの指示を受け付けることに応じて画面を表示するアプリケーションを実行させ、
前記オペレーティングシステムは出力先のプリンターに対応するプリンタードライバーを特定し、
前記アプリケーションは、特定された前記プリンタードライバーが第１のプリンタードライバーである場合に第２の印刷設定画面を前記画面として表示し、特定された前記プリンタードライバーが第２のプリンタードライバーである場合に前記第２の印刷設定画面とは異なる第３の印刷設定画面を前記画面として表示することを特徴とするプログラム。
【請求項１６】
前記第２の印刷設定画面と前記第３の印刷設定画面は設定可能な印刷設定項目が異なることを特徴とする請求項１５に記載のプログラム。
【請求項１７】
前記第２の印刷設定画面と前記第３の印刷設定画面は画面レイアウトが異なることを特徴とする請求項１５又は請求項１６に記載のプログラム。
【請求項１８】
前記第１のプリンタードライバーは記憶領域に禁則ルールが記述されたファイルが存在するプリンタードライバーであり、前記第２のプリンタードライバーは前記記憶領域に前記禁則ルールが記述された前記ファイルが存在しないプリンタードライバーであることを特徴とする請求項１５乃至１７のいずれか１項に記載のプログラム。
【請求項１９】
前記アプリケーションは、特定された前記プリンタードライバーが前記第１のプリンタードライバーである場合に、前記第２の印刷設定画面で印刷設定が変更される度に前記禁則処理を行うことを特徴とする請求項１５乃至１８のいずれか１項に記載のプログラム。
【請求項２０】
前記オペレーティングシステムは前記出力先のプリンターの選択を受け付けることを特徴とする請求項１５乃至１９のいずれか１項に記載のプログラム。
【手続補正２】
【補正対象書類名】明細書
【補正対象項目名】０００８
【補正方法】変更
【補正の内容】
【０００８】
本発明に係る情報処理装置は、
オペレーティングシステムによって提供される第１の印刷設定画面でオブジェクトの指示を受け付けることに応じて第２の印刷設定画面を表示するアプリケーションを有し、
前記オペレーティングシステムは出力先のプリンターに対応するプリンタードライバーを特定し、
前記アプリケーションは、前記第２の印刷設定画面から前記第１の印刷設定画面に戻る指示を受け付けて、かつ特定された前記プリンタードライバーが第１のプリンタードライバーである場合に、組み合わせられない印刷設定値を解消する禁則処理を行い、前記第２の印刷設定画面から前記第１の印刷設定画面に戻る指示を受け付けて、かつ特定された前記プリンタードライバーが第２のプリンタードライバーである場合に、前記禁則処理を行わないことを特徴とする。
また、本発明に係る他の情報処理装置は、
オペレーティングシステムによって提供される第１の印刷設定画面でオブジェクトの指示を受け付けることに応じて画面を表示するアプリケーションを有し、
前記オペレーティングシステムは出力先のプリンターに対応するプリンタードライバーを特定し、
前記アプリケーションは、特定された前記プリンタードライバーが第１のプリンタードライバーである場合に第２の印刷設定画面を前記画面として表示し、特定された前記プリンタードライバーが第２のプリンタードライバーである場合に前記第２の印刷設定画面とは異なる第３の印刷設定画面を前記画面として表示することを特徴とする。